(57)【特許請求の範囲】
【請求項１】
建築物の外壁下地材に固定され、足場の壁つなぎ材を連結するための足場壁つなぎ具の施工方法であって、この足場壁つなぎ具は、円柱状体の一方の端面より、円柱状体の軸方向に沿って雌ネジが切られた雌ネジ部が設けられ、他方の端面より上記雌ネジより小径の丸穴が雌ネジ部に連通して穿設されて丸穴部が設けられた構造であり、この足場壁つなぎ具を、外壁の面材を貫通して穿設された取付孔に丸穴部側より挿通し、建築物の外壁下地材に直角方向より当接させた上、上記丸穴部側よりタッピングビスを挿通して前記外壁下地材に固定し、前記足場壁つなぎ具の雌ネジ部に壁つなぎ材の端部の雄ネジ部を螺着により固定して足場を構築することを特徴とする足場壁つなぎ具の施工方法。
【請求項２】
壁つなぎ材を撤去した後、前記取付孔と足場壁つなぎ具の外周との間隙に防水材を充填し、前記足場壁つなぎ具の雌ネジ部に穴塞ぎ部材を止水材を介して螺着することを特徴とする請求項１記載の足場壁つなぎ具の施工方法。
【発明の詳細な説明】
【０００１】
【発明の属する技術分野】
本発明は、建築現場における足場を構築するため、壁つなぎ材を外壁に固定するために用いる足場壁つなぎ具とその施工方法に関する。
【０００２】
【従来の技術】
従来、建築現場における足場を構築するため、建物の外壁に固定して使用される壁つなぎ材、及びその取付構造等は、実開昭５７−９７０４４号公報や、特開平６−３１７００８号公報に記載された例が上げられる。
又、上記壁つなぎ材の外壁への固定を強固にするために、壁つなぎ材に補強金物を付設した構造の例が、特開平７−２０７９２４号公報に記載されている。
【０００３】
【発明が解決しようとする課題】
しかしながら、上記実開昭５７−９７０４４号公報に記載された足場壁つなぎ装置においては、この足場壁つなぎ装置の撤去後に外壁に残されたボルトの貫通穴を補修する必要があり、又、特開平６−３１７００８号公報に記載された足場の揺れ止め装置の場合においても、外壁のつなぎ部の化粧幕板にターンバックルの固定ボルトの貫通穴が残されることになり、前者と同様に穴塞ぎの補修を伴うといった問題がある。
【０００４】
又、特開平７−２０７９２４号公報に記載されている壁つなぎ受け補強金物においては、従来のターンバックル等により構成される壁つなぎ材と、外壁への固定のための受け金物との間に、圧縮や曲げ強度を補強するために外壁面に当接する椀状の補強金物を用いるようになっているが、構造が複雑となり施工費用やコストが高くつくといった問題がある。
【０００５】
本発明は、上記のこのような問題点に着眼してなされたものであり、その目的とするところは、これらの問題点を解消し、足場撤去後の壁つなぎ材の外壁面に残された取付跡の始末が見栄えよく簡単に行え、従来の壁つなぎ材を使っても、その固定強度が確保される壁つなぎ材の足場壁つなぎ具とその施工方法を提供するものである。
【０００６】
【課題を解決するための手段】
請求項１記載の足場壁つなぎ具の施工方法において、足場壁つなぎ具は、建築物の外壁下地材に固定され、足場の壁つなぎ材を連結するための足場壁つなぎ具であって、この足場壁つなぎ具は、円柱状体の一方の端面より、円柱状体の軸方向に沿って雌ネジが切られた雌ネジ部が設けられ、他方の端面より上記雌ネジより小径の丸穴が雌ネジ部に連通して穿設されて丸穴部が設けられた構造であることを特徴とする。
【０００７】
足場壁つなぎ具の施工方法においては、上記足場壁つなぎ具を、外壁の面材を貫通して穿設された取付孔に丸穴部側より挿通し、建築物の外壁下地材に直角方向より当接させた上、上記丸穴部側よりタッピングビスを挿通して前記外壁下地材に固定し、続いて前記壁つなぎ具の雌ネジ部に壁つなぎ材の端部の雄ネジ部を螺着により固定して足場を構築する。
【０００８】
請求項２記載の足場壁つなぎ具の施工方法においては、壁つなぎ材を撤去した後、上記取付孔と上記足場壁つなぎ具の外周との間隙に防水材を充填し、上記足場壁つなぎ具の雌ネジ部に穴塞ぎ部材を止水材を介在させて螺着することを特徴とする。
【０００９】
本発明の足場壁つなぎ具となる円柱状体の材質には、ＳＳ４００やステンレス鋼が好適に用いられる。
又、防錆の必要がある材質については、亜鉛メッキ等の防錆処理を施すのが好ましい。
【００１０】
この足場壁つなぎ具の円柱状体の製作には、直径が１８ｍｍ〜２０ｍｍ程度の棒鋼を外壁の厚さと同等の長さに切断して、その一端側より、一般の壁つなぎ材に汎用されているのと同等の１２ｍｍ径（強度上）の雌ネジを切って雌ネジ部を形成し、或いは専用の壁つなぎ材を用いる場合には、それに合わせた径の雌ネジを設けるようにすればよい。
【００１１】
又、円柱状体の反対側からは、内径がほぼ６．５ｍｍの孔を穿設し、上記雌ネジ部に連通させて、丸穴部を形成し、径が６ｍｍのタッピングビスが挿通できるようにすればよい。
【００１２】
更に、穴塞ぎ部材としてはボルトでよく、上記円柱状体と同じ材質で構成し、その頭の径は、上記円柱状体の外径と同一とすればよい。
又、このボルトは、パッキンを一体とした合成樹脂製を用い、外壁面の色に合わせて着色したものを用いることもできる。
【００１３】
【作用】
請求項１記載の足場壁つなぎ具の施工方法において、この足場壁つなぎ具は、円柱状体の一方の端面より、円柱状体の軸方向に沿って雌ネジが切られた雌ネジ部が設けられ、他方の端面より前記雌ネジより小径の丸穴が雌ネジ部に連通して穿設されて丸穴部が設けられた構造となっているので、建築物の外壁下地材に直角方向より当接させた上、上記丸穴部側よりタッピングビスを挿通して前記外壁下地材に螺着により強固に固定することができ、更に以下に列挙するような特徴がある。
【００１４】
１）外壁下地材のある任意の個所に取り付けることができる。
２）外壁下地材に足場壁つなぎ具の円柱状体の端面が面で当接して固定されるので、固定が安定するとともに、圧縮や曲げ強度を大幅に向上させることができる。
３）上記円柱状体の長さを取り付ける外壁の厚さと同一にし、外側端面と壁面とを面一とすることにより、固定の安定化と、穴塞ぎ部材としてのボルトの納まりを向上させることができる。
４）雌ネジ部には、従来の壁つなぎ材を接続して用いることができ、汎用性がある。
５）タッピングビスによる取付工事において、工具が円柱状体の内部に挿入されて行われるので、工具等により外壁を傷付けずに作業ができる。
６）穴塞ぎ部材としてのボルトが着脱可能であるから、再利用が可能であり、又、取り付けられた状態のままであっても、外壁面の外側に殆ど出っ張ることかないので、外壁回りの他の部材と干渉することがなく、作業の邪魔になることがない。
【００１５】
足場壁つなぎ具の施工方法においては、上記足場壁つなぎ具を、外壁の面材を貫通して穿設された取付孔に丸穴部側より挿通し、建築物の外壁下地材に直角方向より当接させた上、前記丸穴部側よりタッピングビスを挿通して前記外壁下地材に固定し、続いて前記足場壁つなぎ具の雌ネジ部に壁つなぎ材の端部の雄ネジ部を螺着により固定して足場を構築するようにしたので、固定が安定するとともに、圧縮や曲げ強度を大幅に向上させることができる。
又、雌ネジ部には、従来品の壁つなぎ材を接続して用いることができ、汎用性があり、施工費用を軽減させることができる。
【００１６】
請求項２記載の足場壁つなぎ具の施工方法においては壁つなぎ材を撤去した後、上記取付孔と請求項１記載の足場壁つなぎ具の外周との間隙に防水材を充填し、上記足場壁つなぎ具の雌ネジ部に穴塞ぎ部材を止水材を介在させて螺着するようにしたので、防水処理が完全となるとともに、この穴塞ぎ部材の着脱が可能であるから、足場の再構築の場合にも再利用できる。
【００１７】
又、穴塞ぎ部材をボルトとした場合には、ボルトの頭の高さを低く抑えることにより、外壁面に対する違和感を解消することができ、頭に同色の塗装を施すことにより、より効果的な仕上げとすることができる。
【００１８】
【発明の実施の形態】
以下に図面を参照して実施の形態を説明する。
図１は、本発明の足場壁つなぎ具の一例を示す断面図である。
図１において、本発明の足場壁つなぎ具１０は、建築物の外壁下地材に固定され、足場の壁つなぎ材を連結するための足場壁つなぎ具である。
この足場壁つなぎ具１０は、鋼材製の円柱状体１１の一方の端面より、円柱状体１１の軸方向に沿って軸芯を中心とする雌ネジ１２ａが切られた雌ネジ部１２が設けられ、他方の端面より上記雌ネジ１２ａより小径の丸穴が雌ネジ部１２に連通して穿設されて丸穴部１３が設けられた構造となっている。
【００１９】
上記円柱状体１１は、直径が１８ｍｍのステンレス棒材を外壁の厚さと同等の長さに切断したものが用いられ、一般の壁つなぎ材に汎用されているのと同等の１２ｍｍ径（強度上）の雌ネジ１２ａを切って雌ネジ部１２が形成されている。
従って、上記雌ネジ部１２には、一般の壁つなぎ材（ターンバックル等により構成されている）の端部の雄ネジ部が螺着可能となっている。
【００２０】
又、丸穴部１３は、内径がほぼ６．５ｍｍの孔が穿設されており、上記雌ネジ部１２に連通させて、直径が６ｍｍのタッピングビスが挿通できるようになっている。
因みに、本実施例の足場壁つなぎ具１０においては、円柱状体１１の直径が１８ｍｍの場合、外壁部の厚さに合わせて全長Ｌは３３ｍｍ、丸穴部１３の深さは５ｍｍとなっている。
【００２１】
上記、足場壁つなぎ具１０には、図２に示すような従来の壁つなぎ材２０が接続されて用いられるようになっている。
即ち、この壁つなぎ材２０の本体部２１は、伸縮可能な構造となっており、一端には足場パイプに固定するための挟持部２２が設けられ、他端側の先端には着脱可能な固定杆２３がアイボルト２４により固定され、この固定杆２３の先端に雄ネジ２３ａが設けられた構造となっている。
【００２２】
上記壁つなぎ材２０の雄ネジ２３ａが、本発明の足場壁つなぎ具１０の雌ネジ部１２の雌ネジ１２ａに螺着されて用いられるようになっている。
【００２３】
図３は、請求項２記載の本発明の足場壁つなぎ具の施工方法の一例を示す断面図である。
図３において、１はユニット建物の上階部を構成する建物ユニットの外壁部の構造材であるの床梁であり、この床梁１の外側には、枠材２が水平方向に架け渡され、この枠材２に外壁パネル３が張着されて建物の外壁部が構築されるよっになっている。
【００２４】
本実施例は、この構造材であるの床梁１に足場を構築するための壁つなぎ材２０（図２に示す）の施工方法である。
即ち、床梁１の側面１ａの横たわる位置の適宜個所に見当を付けておき、先ず外壁パネル３に、用いる足場壁つなぎ具１０の外径よりやや大き目の直径の取付孔４を穿設する。
【００２５】
この取付孔４に、足場壁つなぎ具１０をその丸穴部１３側より挿通し、床梁１の側面１ａにほぼ直角に当接させ、上記丸穴部１３側よりタッピングビス５を挿通し、ドリルを用いてこのタッピングビス５を床梁１の側面１ａに螺着により固定する。
【００２６】
上記のようにして固定された足場壁つなぎ具１０の外側端面は、外壁３の壁面とほぼ面一となり、外壁３の外側に出っ張ることがなく、作業や、他の工事部材と干渉することがない。
【００２７】
続いて上記足場壁つなぎ具１０の雌ネジ部１２の雄ネジ１２ａに、図２に示す壁つなぎ材２０の先端の雄ネジ２３ａを、図４に示すように、螺着により固定することにより足場を構築するための壁つなぎ材２０の取り付けが完了される。
【００２８】
上記のようにして取り付けられた足場壁つなぎ具１０は、床梁１の側面１ａに、その端面を密着した状態で面接触により固定されているので、壁つなぎ材を介してかかる圧縮荷重、曲げ荷重に対して従来にない優れた抵抗力を備えたものとすることができる。
【００２９】
図５は、請求項３記載の本発明の足場壁つなぎ具の施工方法の一例を示す断面図である。
本実施例は、壁つなぎ材２０を撤去した後の取付孔４の後始末の施工方法である。
即ち、取り付けられたまま放置される足場壁つなぎ具１０と外壁パネル３の取付孔４との間には隙間３ａが設けられた状態となっているので、先ず、この隙間に防水材６を充填する。
【００３０】
この後、ボルト７にワッシャ８、及び防水用のパッキン９を挿通し、このボルト７を足場壁つなぎ具１０の雌ネジ部１２の雄ネジ１２ａに螺着することにより取付孔４の始末が完了し、雨水がこの取付孔４から侵入することが防止され、完全な防水処理が行われたことになる。
【００３１】
上記ボルト７は、着脱が可能であるから、壁面のメンテナンス等のための足場の再構築の場合にも再利用できる利点がある。
【００３２】
又、ボルト７の頭の高さＨを低く抑えることにより、外壁面に対する違和感を解消することができ、更にボルト７の頭部に壁面と同色の塗装を施すことにより、外観意匠的により効果的な仕上げとすることができる。
【００３３】
【発明の効果】
請求項１記載の足場壁つなぎ具の施工方法においては、この足場壁つなぎ具が、円柱状体の一方の端面より、円柱状体の軸方向に沿って雌ネジが切られた雌ネジ部が設けられ、他方の端面より前記雌ネジより小径の丸穴が雌ネジ部に連通して穿設されて丸穴部が設けられた構造となっているので、建築物の外壁下地材に直角方向より当接させた上、前記丸穴部側よりタッピングビスを挿通して前記外壁下地材に螺着により強固に固定することができ、更に以下に列挙するような特徴がある。
【００３４】
１）外壁下地材のある任意の個所に取り付けることができる。
２）外壁下地材に足場壁つなぎ具の円柱状体の端面が面で当接して固定されるので、固定が安定するとともに、圧縮や曲げ強度を大幅に向上させることができる。
３）上記円柱状体の長さを取り付ける外壁の厚さと同一にし、外側端面と壁面とを面一とすることにより、固定の安定化と、穴塞ぎ部材としてのボルトの納まりを向上させることができる。
４）雌ネジ部には、従来の壁つなぎ材を接続して用いることができ、汎用性がある。
５）タッピングビスによる取付工事において、工具が円柱状体の内部に挿入されて行われるので、工具等により外壁を傷付けずに作業ができる。
６）穴塞ぎ部材としてのボルトが着脱可能であるから、再利用が可能であり、又、取り付けられた状態のままであっても、外壁面の外側に殆ど出っ張ることかないので、外壁回りの他の部材と干渉することがなく、作業の邪魔になることがない。
【００３５】
足場壁つなぎ具の施工方法においては、上記足場壁つなぎ具を、外壁の面材を貫通して穿設された取付孔に丸穴部側より挿通し、外壁下地材に直角方向より当接させた上、前記丸穴部側よりタッピングビスを挿通して前記外壁下地材に固定し、続いて前記足場壁つなぎ具の雌ネジ部に壁つなぎ材の端部の雄ネジ部を螺着により固定して足場を構築するようにしたので、固定が安定するとともに、圧縮や曲げ強度を大幅に向上させることができる。
又、雌ネジ部には、従来品の壁つなぎ材を接続して用いることができ、汎用性があり、施工費用を軽減させることができる。
【００３６】
請求項２記載の足場壁つなぎ具の施工方法においては壁つなぎ材を撤去した後、上記取付孔と上記足場壁つなぎ具の外周との間隙に防水材を充填し、上記足場つなぎ具の雌ネジ部に穴塞ぎ部材を止水材を介在させて螺着するようにしたので、防水処理が完全となるとともに、この穴塞ぎ部材の着脱が可能であるから、足場の再構築の場合にも再利用できる。
【００３７】
又、穴塞ぎ部材をボルトとした場合には、ボルトの頭の高さを低く抑えることにより、外壁面に対する違和感を解消することができ、頭に同色の塗装を施すことにより、より効果的な仕上げとすることができる。
従って、足場壁つなぎ具及びその施工方法として好適である。
【図面の簡単な説明】
【図１】請求項１記載の本発明の足場壁つなぎ具の一例を示す断面図。
【図２】従来の壁つなぎ材の側面図。
【図３】請求項２記載の本発明の足場壁つなぎ具の施工方法の一例を示す断面図。
【図４】本発明の足場壁つなぎ具に壁つなぎ材が接続された態様を示す断面図。
【図５】請求項３記載の本発明の足場壁つなぎ具の施工方法の一例を示す断面図。
【符号の説明】
１                          床梁
１ａ                        側面
２                          枠材
３                          外壁パネル
３ａ                        隙間
４                          取付孔
５                          タッピングビス
６                          防水材
７                          ボルト
８                          ワッシャ
９                          パッキン
１０                        足場壁つなぎ具
１１                        円柱状体
１２                        雌ネジ部
１２ａ                      雌ネジ
１３                        丸穴部
２０                        壁つなぎ材
２１                        本体部
２２                        挟持部
２３                        固定杆
２３ａ                      雄ネジ
２４                        アイボルト
【図１】
0003581464.tif 000002
【図２】
0003581464.tif 000003
【図３】
0003581464.tif 000004
【図４】
0003581464.tif 000005
【図５】
0003581464.tif 000006